(57)【要約】【課題】マイレージシステムと電子マネーシステムの相互乗り入れを可能にするシステムを提供する。【解決手段】ウォレット番号を記憶するＩＣカード（２３０）を利用し，ウォレット番号とマイレージ番号とを関連付けて管理し，ユーザの要求に応じて，ウォレット番号に対応する電子マネーバリュー台帳２２２を参照するとともに，マイレージ番号に対応する前記マイルポイント台帳１２２を参照し，所定のマイルポイントを電子マネーバリューに変換し，変換結果に応じて，電子マネーバリュー台帳に積算処理を施させるとともに，マイルポイント台帳に減算処理を施させる。かかる構成により，マイルポイント／電子マネーバリューの相互変換ができる。【選択図】    図１
2004265087.tif 000002
【特許請求の範囲】
【請求項１】
情報の読み出し／書き込みが可能な情報記録部を備え，前記情報記録部には予めマイレージ番号と関連付けられたウォレット番号を含む電子マネーウォレット情報が記録されたカードと，
前記ウォレット番号に関連付けて電子マネーバリュー台帳を管理する電子マネー管理サーバと，
前記マイレージ番号に関連付けてマイルポイント台帳を管理するマイレージ管理サーバと，
前記ウォレット番号と前記マイレージ番号とを関連付けて管理し，ユーザの要求に応じて，前記ウォレット番号に対応する前記電子マネーバリュー台帳を前記電子マネーバリュー管理サーバから参照するとともに，前記マイレージ番号に対応する前記マイルポイント台帳を前記マイレージ管理サーバから参照し，所定のマイルポイントを電子マネーバリューに変換し，変換結果に応じて，前記電子マネーバリュー管理サーバの電子マネーバリュー台帳に積算処理を施させるとともに，前記マイレージ管理サーバのマイルポイント台帳に減算処理を施させるマイルポイント／電子マネーバリュー変換装置と，
前記カードからウォレット番号を読み出し，前記電子マネー管理サーバの前記電子マネーバリュー台帳を参照して，前記電子マネー機能部に記録された電子マネーウォレット情報を更新する電子マネーバリュー更新端末と，
から成ることを特徴とする，マイルポイント／電子マネーバリュー変換システム。
【請求項２】
マイルポイントから電子マネーバリューへの変換はバッチ処理で行われることを特徴とする，請求項１に記載のマイルポイント／電子マネーバリュー変換システム。
【請求項３】
マイルポイントから電子マネーバリューへの変換はリアルタイム処理で行われることを特徴とする，請求項１に記載のマイルポイント／電子マネーバリュー変換システム。
【請求項４】
前記マイルポイント／電子マネーバリュー変換装置は，前記電子マネーバリューの使用情報を獲得し，獲得した使用情報に応じて対応するマイルポイントを積算するための積算データを前記マイレージ管理サーバに通知し，前記マイレージ管理サーバは該当するマイルポイントを積算処理することを特徴とする，請求項１に記載のマイルポイント／電子マネーバリュー変換システム。
【請求項５】
前記カードは，前記マイレージ番号が記録されたマイレージカードであることを特徴とする，請求項１に記載のマイルポイント／電子マネーバリュー変換システム。
【請求項６】
情報の読み出し／書き込みが可能な情報記録部を備え前記情報記録部には予めマイレージ番号と関連付けられたウォレット番号を含む電子マネーウォレット情報が記録されたカードの前記ウォレット番号と前記マイレージ番号とを関連付けて管理し，ユーザの要求に応じて，前記ウォレット番号に対応する前記電子マネーバリュー台帳を前記電子マネーバリュー管理サーバから参照するとともに，前記マイレージ番号に対応する前記マイルポイント台帳を前記マイレージ管理サーバから参照し，所定のマイルポイントを電子マネーバリューに変換し，変換結果に応じて，前記電子マネーバリュー管理サーバの電子マネーバリュー台帳に積算処理を施させるとともに，前記マイレージ管理サーバのマイルポイント台帳に減算処理を施させることを特徴とする，マイルポイント／電子マネーバリュー変換装置。
【請求項７】
マイルポイントから電子マネーバリューへの変換はバッチ処理で行われることを特徴とする，請求項６に記載のマイルポイント／電子マネーバリュー変換装置。
【請求項８】
マイルポイントから電子マネーバリューへの変換はリアルタイム処理で行われることを特徴とする，請求項６に記載のマイルポイント／電子マネーバリュー変換装置。
【請求項９】
前記マイルポイント／電子マネーバリュー変換装置は，前記電子マネーバリューの使用情報を獲得し，獲得した使用情報に応じて対応するマイルポイントを積算するための積算データを前記マイレージ管理サーバに通知し，該当するマイルポイントを積算処理させることを特徴とする，請求項６に記載のマイルポイント／電子マネーバリュー変換装置。
【請求項１０】
コンピュータをして，
情報の読み出し／書き込みが可能な情報記録部を備え前記情報記録部には予めマイレージ番号と関連付けられたウォレット番号を含む電子マネーウォレット情報が記録されたカードの前記ウォレット番号と前記マイレージ番号とを関連付けて管理し，ユーザの要求に応じて，前記ウォレット番号に対応する前記電子マネーバリュー台帳を前記電子マネーバリュー管理サーバから参照するとともに，前記マイレージ番号に対応する前記マイルポイント台帳を前記マイレージ管理サーバから参照し，所定のマイルポイントを電子マネーバリューに変換し，変換結果に応じて，前記電子マネーバリュー管理サーバの電子マネーバリュー台帳に積算処理を施させるとともに，前記マイレージ管理サーバのマイルポイント台帳に減算処理を施させるマイルポイント／電子マネーバリュー変換装置として機能せしめることを特徴とする，プログラム。
【請求項１１】
コンピュータをして，
情報の読み出し／書き込みが可能な情報記録部を備え前記情報記録部には予めマイレージ番号と関連付けられたウォレット番号を含む電子マネーウォレット情報が記録されたカードの前記ウォレット番号と前記マイレージ番号とを関連付けて管理し，ユーザの要求に応じて，前記ウォレット番号に対応する前記電子マネーバリュー台帳を前記電子マネーバリュー管理サーバから参照するとともに，前記マイレージ番号に対応する前記マイルポイント台帳を前記マイレージ管理サーバから参照し，所定のマイルポイントを電子マネーバリューに変換し，変換結果に応じて，前記電子マネーバリュー管理サーバの電子マネーバリュー台帳に積算処理を施させるとともに，前記マイレージ管理サーバのマイルポイント台帳に減算処理を施させるマイルポイント／電子マネーバリュー変換装置として機能せしめることを特徴とするプログラムが記録されたコンピュータ読み取り可能な記憶媒体。
【請求項１２】
情報の読み出し／書き込みが可能な情報記録部を備え前記情報記録部には予めマイレージ番号と関連付けられたウォレット番号を含む電子マネーウォレット情報が記録されたカードと，前記ウォレット番号に関連付けて電子マネーバリュー台帳を管理する電子マネー管理サーバと，前記マイレージ番号に関連付けてマイルポイント台帳を管理するマイレージ管理サーバとを，用いたマイルポイント／電子マネーバリュー変換方法であって：
前記ウォレット番号と前記マイレージ番号とを関連付けて管理し，ユーザの要求に応じて，前記ウォレット番号に対応する前記電子マネーバリュー台帳を前記電子マネーバリュー管理サーバから参照するとともに，前記マイレージ番号に対応する前記マイルポイント台帳を前記マイレージ管理サーバから参照し，所定のマイルポイントを電子マネーバリューに変換し，変換結果に応じて，前記電子マネーバリュー管理サーバの電子マネーバリュー台帳に積算処理を施させるとともに，前記マイレージ管理サーバのマイルポイント台帳に減算処理を施させるマイルポイント／電子マネーバリュー変換工程と，
前記マイレージカードからウォレット番号を読み出し，前記電子マネー管理サーバの前記電子マネーバリュー台帳を参照して，前記電子マネー機能部に記録された電子マネーウォレット情報を更新する電子マネーバリュー更新工程と，
から成ることを特徴とする，マイルポイント／電子マネーバリュー変換方法。
【請求項１３】
マイルポイントから電子マネーバリューへの変換はバッチ処理で行われることを特徴とする，請求項１２に記載のマイルポイント／電子マネーバリュー変換方法。
【請求項１４】
マイルポイントから電子マネーバリューへの変換はリアルタイム処理で行われることを特徴とする，請求項１２に記載のマイルポイント／電子マネーバリュー変換方法。
【請求項１５】
前記マイルポイント／電子マネーバリュー変換装置は，前記電子マネーバリューの使用情報を獲得し，獲得した使用情報に応じて対応するマイルポイントを積算するための積算データを前記マイレージ管理サーバに通知し，前記マイレージ管理サーバは該当するマイルポイントを積算処理することを特徴とする，請求項１２に記載のマイルポイント／電子マネーバリュー変換方法。
【発明の詳細な説明】
【０００１】
【発明の属する技術分野】
本発明は，マイルポイント／電子マネーバリュー変換システム，マイルポイント／電子マネーバリュー変換装置，プログラム，記録媒体およびマイルポイント／電子マネーバリュー変換方法に関する。
【０００２】
【従来の技術】
最近，電子マネーバリューをＩＣカードなどの情報記憶領域に記憶することが可能な電子マネーカードが普及している。また，搭乗機の飛行マイルに応じてマイルポイントを蓄積し，そのマイルポイントを搭乗券その他のサービスに交換するマイレージシステムも普及している。一方で，店舗等が発行するポイントを金銭あるいは電子マネーバリューに変換するポイントシステムが，例えば，特開平９−４４７３２号公報，特開２００２−７８４１号公報などに開示されている。
【０００３】
【特許文献１】
特開平９−４４７３２号公報
【特許文献２】
特開２００２−７８４１号公報
【０００４】
【発明が解決しようとする課題】
しかし，上記特許文献に記載されたポイント変換システムは，クローズドなポイントシステム内における換金を目指したものであり，他のポイントシステムとのポイントの交換，特に，従来から存在するマイレージシステム及び電子マネーシステムとの相互乗り入れを目指したものではない。かかる相互乗り入れシステムは，ユーザにとっては享受できる特典の範囲を広げるものであり好ましく，サービス提供者にとっても，ユーザのサービス利用率を向上させるものであり好ましい。
【０００５】
本発明は，従来のポイントシステムや電子バリューシステムの上述の状況に鑑みてなされたものであり，特にマイレージシステムと電子マネーシステムとの相互乗り入れを可能にする新規かつ改良されたシステム等を提供することを目的とするものである。
【０００６】
【課題を解決するための手段】
上記課題を解決するために，本発明の第１の観点によれば，情報の読み出し／書き込みが可能な情報記録部を備え，情報記録部には予めマイレージ番号と関連付けられたウォレット番号を含む電子マネーウォレット情報が記録されたカード，たとえば非接触型ＩＣカードを用いたマイルポイント／電子マネーバリュー変換システムが提供される。
【０００７】
このシステムは，ウォレット番号に関連付けて電子マネーバリュー台帳を管理する電子マネー管理サーバと，マイレージ番号に関連付けてマイルポイント台帳を管理するマイレージ管理サーバとを備えている。
【０００８】
さらに，システムは，ウォレット番号とマイレージ番号とを関連付けて管理し，ユーザの要求に応じて，ウォレット番号に対応する電子マネーバリュー台帳を電子マネーバリュー管理サーバから参照するとともに，マイレージ番号に対応するマイルポイント台帳をマイレージ管理サーバから参照し，所定のマイルポイントを電子マネーバリューに変換し，変換結果に応じて，電子マネーバリュー管理サーバの電子マネーバリュー台帳に積算処理を施させるとともに，マイレージ管理サーバのマイルポイント台帳に減算処理を施させるマイルポイント／電子マネーバリュー変換装置を備えている。
【０００９】
さらに，システムは，マイレージカードからウォレット番号を読み出し，電子マネー管理サーバの電子マネーバリュー台帳を参照して，電子マネー機能部に記録された電子マネーウォレット情報を更新する電子マネーバリュー更新端末を備えている。
【００１０】
かかる構成によれば，従来から存在するマイレージシステム及び電子マネーシステムとの相互乗り入れを図ることができる。かかる相互乗り入れシステムは，ユーザにとっては享受できる特典の範囲を広げるものであり，サービス提供者にとっても，ユーザのサービス利用率を向上させることができる。
【００１１】
マイルポイントから電子マネーバリューへの変換はバッチ処理で行っても良いし，リアルタイム処理で行っても良い。
【００１２】
さらに，システムは，マイルポイント／電子マネーバリュー変換装置は，電子マネーバリューの使用情報を獲得し，獲得した使用情報に応じて対応するマイルポイントを積算するための積算データをマイレージ管理サーバに通知し，マイレージ管理サーバは該当するマイルポイントを積算処理するように構成することもできる。
【００１３】
かかる構成によれば，電子マネーの利用によりマイルポイントが増えるので，電子マネーとマイルポイントの相互乗り入れをさらに一層緊密なものとすることができる。
【００１４】
さらに，本発明の別の観点によれば，上記マイルポイント／電子マネーバリュー交換システムを実現するための，マイルポイント／電子マネーバリュー変換装置や，コンピュータをしてマイルポイント／電子マネーバリュー変換装置して機能せしめるプログラム，そのプログラムを記録したコンピュータ読み取り可能な記憶媒体，さらには，上記システムを実現するための方法が提供される。
【００１５】
【発明の実施の形態】
以下，添付図面を参照しながら本発明の好適な実施形態にかかるマイルポイント／電子マネーバリュー変換システム等について詳細に説明する。なお，以下の説明および添付図面において，略同一の機能構成を有する部材については同一符号を付することにより重複説明を省略するものとする。
【００１６】
１．システムの概略構成
まず図１を示しながら，本発明の好適な実施形態にかかるマイルポイント／電子マネーバリュー変換システムについて説明する。
本システムは，要するに，従来から普及しているマイレージシステム１００と電子マネーバリューシステム２００の相互乗り入れを可能にして，ユーザが享受できるマイレージサービスの特典の範囲を電子マネーシステムにまで拡大し，ユーザのサービス利用頻度を高めることにより，サービス提供者側の収益増大を目指すポイントシステム／電子マネーバリューシステムの改良に関するものである。
【００１７】
まず図１に示すマイレージシステム１００について説明する。マイレージシステム１００は，マイレージサービスを提供するシステムであり，マイレージ管理サーバ１１０とマイルポイント台帳ＤＢ１２０を備えている。マイレージサービスは，航空会社の多利用搭乗客向けプログラムであって，搭乗客（ユーザ）の搭乗距離に応じてマイルポイントを提供し，一定搭乗距離（一定のマイルポイント）に到達すると，その搭乗客に対して無料航空券や上級座席への切替えなどの特典を提供するサービスである。
【００１８】
ユーザは，一般に図３に示すようなマイレージカード１８０を所有する。マイレージカード１８０には，マイレージ番号１２４が，表面に印字されるとともに，磁気帯テープなどの電気的に記録されている。さらに，ユーザ名１２６が表面に印字されている。ユーザは，マイレージカード１８０に記録されたマイレージ番号１２４の他に暗証番号を所有しており，マイレージ番号１２４と暗証番号により認証を受け，後述するようにマイレージ管理サーバ１１０にアクセスする。なお，図３に示すマイレージカード１８０は，マイレージカードとしての機能しか有していないが，後述する電子マネーカード機能やクレジットカード機能を併せ持つように構成しても良い。
【００１９】
マイレージ管理サーバ１１０は，コンピュータなどの情報処理装置から構成され，外部端末装置や外部サーバなどからの要求に応じて，マイルポイントの加減を管理する。なお，図示の例では，マイレージ管理サーバ１１０は，一のサーバ装置として構成されているが，複数の機能を分散し，複数のサーバ装置から構成することも可能であることは言うまでも無い。
【００２０】
マイレージ管理サーバ１１０にアクセス可能な外部端末装置等は多様に構成可能である。図１には，外部端末等として，端末１３０などに接続された搭乗券予約システムなどの別のシステムサーバ１３２，電話１４０などに接続されたコールセンター１４２，ユーザが操作するユーザ端末１５０，オペレータを介して操作するオペレータ端末１６０などが例示されている。マイレージ管理サーバ１１０と外部端末装置等は，インターネットなどの公衆回線網介して，あるいは専用回線を介して双方向通信可能に接続されている。
【００２１】
外部のシステムサーバ１３２が，予約管理サーバとして構成されている場合には，ユーザが搭乗機予約を行いさらにチェックインなどマイルポイント加算行為をした場合にマイル積算データが生成され，マイレージ管理サーバ１１０はその積算データに応じてマイルポイントの積算処理を行う。
【００２２】
さらにユーザは，外部端末等を利用してマイレージ管理サーバ１１０にアクセスして，通常のマイレージサービス，すなわちマイルポイントを利用した各種特典，例えば航空券その他のクーポンを受け取ることができる。
【００２３】
あるいはユーザは，後述するように，本実施の形態にかかるシステムを利用して，マイルポイントを電子マネーバリューに交換して，電子マネーバリュー利用可能な実店舗や電子モールなどの仮想店舗において，他の商品やサービスの購入などの代金にあてることができる。
【００２４】
マイレージ管理サーバ１１０が，マイルポイントの加減処理を行う場合には，マイルポイント台帳ＤＢ１２０を参照する。マイルポイント台帳ＤＢ１２０は，図２に示すようなマイルポイント台帳１２２を格納している。図２に示すマイルポイント台帳１２２は，マイレージ番号管理領域１２４，マイルポイント管理領域１２５，ユーザ名管理領域１２６，ユーザ連絡先管理領域１２７などを備えた台帳データである。なお，マイルポイント台帳１２２は，少なくともマイレージ番号とマイルポイントとを関連付けて管理する。その他の管理項目については，本実施の形態にかかるシステムの構築にあたっては付随的であり，台帳データの目的に応じて任意に設計することができる。
【００２５】
マイレージ番号は，マイレージサービスを享受するにあたり，各ユーザあるいは各マイレージカードに割り振られた番号である。マイルポイントは，一定の搭乗距離（マイル）により獲得可能なポイントであり，他のサービスや商品と兌換可能である。なお，マイルポイントの獲得機会は，飛行機の搭乗行為に限定されず，提供されるマイレージサービスに応じてさまざまな局面で獲得可能であることは言うまでもない。また別のポイントサービスからマイレージポイントへのポイント交換によりマイルポイントを獲得するように構成することも可能である。
【００２６】
以上，マイレージシステム１００について簡単に説明したが，次いでこのマイレージシステム１００と相互乗り入れされる電子マネーシステム２００について説明する。図示のように電子マネーシステム２００は，電子マネー管理サーバ２１０と電子マネーバリュー台帳ＤＢ２２０を備えている。
【００２７】
電子マネーは，一般的には，ネット上を流通する仮想通貨をいうが，本実施の形態にかかるシステムにおいては，プリペイドカードやＩＣカードなど電子マネー媒体に記録された電子キャッシュも含まれる。
【００２８】
プリペイドカードは，カード裏面に形成された磁気帯テープに電子キャッシュ情報を書き込むように構成されたカードである。プリペイドカードに書き込まれた情報は，接触式のカード読み取り／書き込み装置（リーダ／ライタ）により更新することが可能である。
【００２９】
ＩＣカードは，非接触式カードとも称され，図４に示すように，カードの中に情報の読み出し／書き込みが可能な情報記録部としてのＩＣチップ２３２が組み込まれている。後述するように，ＩＣカードを，カード読み取り装置（リーダ／ライタ）に近づけると，リーダ／ライタから発信された電波を非接触式に受け取り，さらに電波でＩＣを作動させて情報を読み込んだり書き込んだりすることが可能である。
【００３０】
図４に示すＩＣカード２３０は，電子ウォレットとして機能する。ＩＣカードの表面には，ウォレット番号２２４とユーザ名２２６が印字されている。ここで，ウォレット番号とは，各ＩＣカードや各ユーザに割り振られた番号である。本明細書においては，電子マネーカードが電子財布として機能することから，電子マネーカードを識別する番号としてウォレット番号という名称を用いているが，本発明はかかる名称に限定されないことは言うまでも無い。なおこれらのウォレット番号２２４とユーザ名２２６は，図示の例では，ＩＣカード２３０の表面に印字されているが，ＩＣチップ２３２内にも電気的に記録されている。
【００３１】
電子マネー管理サーバ２１０は，コンピュータなどの情報処理装置から構成され，個別ユーザごとの電子マネーバリューの出納を管理する。なお，図示の例では，電子マネー管理サーバ２１０は，一のサーバ装置として構成されているが，複数の機能を分散し，複数のサーバ装置から構成することも可能であることは言うまでも無い。
【００３２】
電子マネー管理サーバ２１０が，電子マネーバリューの出納状況を管理するにあたっては，電子マネーバリュー台帳ＤＢ２２０を参照する。電子マネーバリュー台帳ＤＢ２２０は，図５に示すような電子マネーバリュー台帳２２２を格納している。図５に示す電子マネーバリュー台帳２２２は，ウォレット番号管理領域２２４，バリュー（電子キャッシュ）管理領域２２５，ユーザ名管理領域２２６，ユーザ連絡先管理領域２２７などを備えた台帳データである。なお，電子マネーバリュー台帳２２２は，少なくともウォレット番号と電子マネーバリュー（電子キャッシュ）とを関連付けて管理する。その他の管理項目については，本実施の形態にかかるシステムの構築にあたっては付随的であり，台帳データの目的に応じて任意に設計することができる。
【００３３】
ウォレット番号は，すでに説明したように，個別ユーザごと，あるいはＩＣカードなどの電子媒体ごとに割り振られた番号である。電子マネーバリューは，電子キャッシュとも称されるもので，ＩＣチップなどに記録された仮想通貨である。したがって，使用すれば使用した分だけバリューが減じられる。また，後述するように，チャージをすることにより，必要に応じてバリューを増加させることも可能である。
【００３４】
なお，図５に示す電子マネーバリュー台帳２２２においては，現時点でのバリュー残高が示されているが，バリューの使用履歴を記録するように構成しても良い。
【００３５】
図１に示す電子マネーシステム２００において，２４０はチャージ端末である。チャージ端末２４０は，コンピュータ装置などの情報処理端末から構成される。チャージ端末２４０には，リーダ／ライタ２４２が接続されている。リーダ／ライタ２４２は，ＩＣカード内の情報を非接触式に読み出し／書き込む機能を有しており，そのために微弱電波を発生することができる。またチャージ端末２４０は，インターネットなどの公衆回線を介して，あるいは専用回線を介して，電子マネー管理サーバ２１０に双方向通信可能に接続されている。
【００３６】
ユーザがチャージを行う場合には，ＩＣカード２３０をリーダ／ライタ２４２に近づけまたは接触させ，ＩＣカード２３０に記憶されたウォレット番号および電子マネーバリュー情報をチャージ端末２４０に読み出させる。チャージ端末２４０は，電子マネー管理サーバ２１０にアクセスして，電子マネーバリュー台帳２２２を参照する。電子マネーバリュー台帳２２２にギフトバリューが存在している場合には，ギフトバリューをリーダ／ライタ２４２を介して，ＩＣカード２３０に書き込む。なお，ギフトバリューは，ＩＣカード２３０にチャージし得るバリューを言うものとし，サービス提供者から無償あるいは特典として提供されるバリューに限定されない。
【００３７】
ユーザは，チャージ端末２４０によりチャージされたＩＣカード２３０により，電子マネー対応の実店舗あるいは仮想店舗２５０において，ＩＣチップ２３２に記憶されている限度内で，商品やサービスを購入することができる。
【００３８】
次に，本実施の形態にかかるマイルポイント／電子マネーバリュー変換システムの中核をなす，マイルポイント／電子マネーバリュー変換装置３００の構成について説明する。
【００３９】
このマイルポイント／電子マネーバリュー変換装置３００は，図６に示すようなマイレージ番号／ウォレット番号変換テーブル３１０を備えている。マイレージ番号／ウォレット番号変換テーブル３１０は，マイレージ番号管理領域３０２とウォレット番号管理領域３０４と両者の相互変換領域３０６とを備えている。このように，電子マネーのウォレット番号とマイレージ番号とは，マイレージ番号／ウォレット番号変換テーブル３１０予め関連付けられて管理されている。
【００４０】
マイルポイント／電子マネーバリュー変換装置３００は，ユーザの要求に応じて，ウォレット番号に対応する電子マネーバリュー台帳２２２を電子マネーバリュー管理サーバ２１０から参照するとともに，マイレージ番号に対応するマイルポイント台帳１２２をマイレージ管理サーバ１１０から参照する。
【００４１】
そして，マイルポイント／電子マネーバリュー変換装置３００は，ユーザが指定したマイルポイントを電子マネーバリューに所定の変換ルールに従って変換する。マイルポイントを電子マネーバリューに変換する変換ルールは，サービスの内容に応じて自由に設定することが可能である。例えば，１マイルを１バリューに変換するように構成したり，１マイルを１０バリューに変換したり構成することができる。
【００４２】
２．マイルポイントの電子マネーバリューへの変換フロー
以上，本実施の形態にかかるマイルポイント／電子マネーバリュー変換システムの構成について説明したが，次に，本システムを利用したマイルポイントから電子マネーへの変換フローについて説明する。
【００４３】
マイルポイントの電子マネーバリューへの変換は，図７に示すように，バッチ処理で行うように構成しても良いし，あるいは，図８に示すように，リアルタイム処理で行うようにしても良い。
【００４４】
２．１  バッチ処理
まず，図７を参照しながら，バッチ処理方式でマイルポイントを電子マネーバリューへ変換するフローについて説明する。
【００４５】
まずマイルポイントを電子マネーに変換したいユーザは，ユーザ端末１５０から直接的にまたは外部システムを介して間接的に，マイレージ管理サーバ１１０にアクセスして，現在所有しているマイルポイントのすべてまたは一部を電子マネーに交換するための交換要求を出す（Ｓ７１０）。
【００４６】
マイレージ管理サーバ１１０は，ユーザの要求にしたがって，マイルポイントポイント台帳１２２を参照して，マイルポイント減算処理を行う（Ｓ７２０）。なお，この時点では，マイルポイントは電子マネーバリューに変換されず，マイルポイントの減算処理だけが行われる。すなわち，本実施形態の場合には，ユーザは，リアルタイムで電子マネーバリューを自己所有の電子マネーカードにチャージすることはできず，バッチ処理実行後に初めてチャージを行うことができる。
【００４７】
本実施の形態によれば，マイレージ管理サーバ１１０等に対する負荷が少ない夜間などにおいて，バッチ処理で，マイルポイントを電子マネーバリューに交換するためのバリューギフトファイル７３５を作成する。バッチ処理は，定期的に行っても良いし，あるいは一定量のデータが蓄積された時点で行っても良い。バリューギフトファイル７３５には，日付，マイレージ番号，マイルポイントから変換された電子マネーバリュー（バリューギフトに相当）が含まれる。
【００４８】
次いで，作成されたバリューギフトファイルが，電子マネー管理サーバ２１０に転送される（Ｓ７４０）。バリューギフトファイルの転送は，定期的に行っても良いし，あるいは，一定量のデータが蓄積された時点で行うように構成しても良い。
【００４９】
変換装置３００は，電子マネー管理サーバ２１０に送られたバリューギフトファイル７３５に基づいて，マイレージ番号とウォレット番号との参照を行い，対応するウォレット番号の電子マネーバリューをバリューギフトとして増額する（Ｓ７５０）。
【００５０】
以上のようにして，マイルポイントは電子マネーバリューに変換されて，電子マネーバリュー台帳ＤＢ２２０内の電子マネーバリュー台帳２２２に格納される。そして，ユーザは，必要に応じて，チャージ端末２４０を介して，所有する電子マネーカード２３０にバリューチャージを行う。その後，電子マネーを利用可能な実店舗または仮想店舗において，チャージされた電子マネーバリューの限度額の範囲内において，商品やサービスの購入が可能となる（Ｓ７６０）。
【００５１】
２．２  リアルタイム処理
次いで，図８を参照しながら，リアルタイム処理でマイルポイントを電子マネーバリューへ変換するフローについて説明する。
【００５２】
まずマイルポイントを電子マネーに変換したいユーザは，チャージ端末２４０をかねたユーザ端末１５０から直接または外部システムを介して間接的に，電子マネー管理サーバ２１０に対して，所有しているマイルポイントのすべてまたは一部を電子マネーに交換するための交換要求を出す（Ｓ８１０）。なおここでは，チャージ端末２４０とユーザ端末１５０を同一構成にしているが，別構成とすることも可能であることは言うまでも無く，他のシステムを介して，交換要求を出すように攻勢することも可能であることは言うまでも無い。
【００５３】
次いで，電子マネー管理サーバ２１０は，マイレージ管理サーバ１１０に対してオンライン接続し，電子マネーカード２３０から読み出したウォレット番号を，変換装置３００のマイレージ番号／ウォレット番号変換テーブル３１０に基づいて，マイレージ番号に変換するとともに，マイルポイントの減算要求を送る（Ｓ８２０）。
【００５４】
このように，電子マネー管理サーバ２１０からマイレージ番号／ウォレット番号変換テーブル３１０を介して送られたマイレージ番号をキーにして，マイレージ管理サーバ１１０は会員認証を行う（Ｓ８３０）。マイレージ管理サーバ１１０は，会員認証後に，マイルポイントの減算処理を行う（Ｓ８４０）。さらに，マイレージ管理サーバ１１０は，電子マネー管理サーバ２１０に対して，マイルポイント減算データ８４５を送信する。ここで，マイルポイント減算データ８４５には，少なくともマイレージ番号，減算マイルポイント情報が含まれている。
【００５５】
電子マネー管理サーバ２１０は，送信されたマイルポイント減算データ８４５に基づいて，チャージデータを作成する（Ｓ８５０）。作成されたチャージデータは，ユーザの要求に応じて，チャージ端末２４０に送られ，リーダ／ライタ２４２を介して電子マネーカード２３０にチャージが行われる（Ｓ８６０）。
【００５６】
以上のようにして，バリューチャージを行った後，電子マネーを利用可能な実店舗または仮想店舗２５０において，チャージされた電子マネーバリューの限度額の範囲内において，商品やサービスの購入が可能となる（Ｓ８６０）。
【００５７】
３．電子マネー利用によるマイル積算フロー
次に，図９を参照しながら，電子マネー利用によるマイルポイント積算フローについて説明する。本フローは，電子マネー利用によりマイルポイントの加算を可能にすることにより，電子マネーとマイルポイントを循環させ，マイレージシステムと電子マネーシステムとの相互乗り入れをさらに円滑強固にするためのものである。
【００５８】
ユーザが，電子マネーを利用可能な実店舗または仮想店舗２５０において，電子マネーカード２３０等を用いて，電子マネーを消費すると，電子マネー利用データ９２０が，インターネットなどの介して，電子マネー管理サーバ２１０に送られる（Ｓ９１０）。電子マネー利用データ９２０には，例えば店舗コード，ウォレット番号，利用金額などの情報を含ませることができる。
【００５９】
電子マネー管理サーバ２１０は，受信した電子マネー利用データ９２０を，本実施の形態に係る変換装置３００を利用して，マイルポイント積算データ９２５に変換する。マイルポイント積算データ９２５には，例えば店舗コード，マイレージ番号，マイルポイントなどの情報を含ませることができる。
【００６０】
このようにして変換されたマイルポイント積算データは，電子マネー管理サーバ２１０からマイレージ管理サーバ１１０に送信される（Ｓ９３０）。マイレージ管理サーバ１１０は，マイルポイント積算データ９２５に基づいて，マイルポイント積算処理を実行する（Ｓ９４０）。ユーザは，積算されたマイルポイントを，無料搭乗券の購入などの特典を享受するために利用することが可能である。
【００６１】
さらにマイレージ管理サーバ１１０は，マイルポイント積算データ９２５に基づいて，マイルフィー請求データを作成する（Ｓ９５０）。マイルフィーは，ユーザ（電子マネーカード／マイレージカード保持者）が，電子マネーカード／マイレージカード２３０に導かれて当該店舗２５０において購買行為を起こしたものと仮定して，送客に対する対価として店舗に請求されるものである。マイルフィー請求データは，電子マネー管理サーバ２１０に代行処理され（Ｓ９６０），電子マネー利用可能店舗２５０に送られる（Ｓ９７０）。その後，店舗２５０は，マイルフィーの清算を行う。
【００６２】
以上説明したように，図９に示す実施形態においては，電子マネーを利用するだけで，顧客のマイルポイントが増加するので，電子マネーの普及をより効果的に図ることができる。さらに，ユーザを店舗２５０に送客する効果も有しているので，マイレージサービス提供者，電子マネーサービス提供者のみならず，電子マネー利用可能な店舗の収益増大も見込むことができる。
【００６３】
以上，添付図面を参照しながら本発明の好適な実施形態について説明したが，本発明はかかる例に限定されない。当業者であれば，特許請求の範囲に記載された技術的思想の範疇内において各種の変更例または修正例に想当し得ることは明らかであり，それらについても当然に本発明の技術的範囲に属するものと解される。
【００６４】
例えば，マイレージサービスには各種のサービス形態が存在するが，本発明は，ユーザがマイルポイントを介して各種サービスの享受を受けることが可能なすべてのマイレージサービスに適用可能であることはいうまでもない。
【００６５】
また上記実施形態においては，マイレージカードと電子マネーカードとを別のカードとして構成したが，マイレージカードと電子マネーカードを一枚のカードに集約しても良い。さらに，マイレージカードや電子マネーカードに，信用取引が可能なクレジットカード機能を付加しても良い。もちろん，マイレージカード，電子マネーカードおよびクレジットカードを一枚のカードに集約しても構わない。
【００６６】
また上記実施形態においては，マイルポイントを電子マネーバリューに交換するシステムを例に挙げて本発明の説明を行ったが，本発明は，これとは逆に，電子マネーバリューをマイルポイントに変換するシステムに適用できることも言うまでも無い。
【００６７】
また上記実施形態においては，マイルポイントをマイレージカードで管理し，電子マネーバリューを電子マネーカードで管理する構成を示したが，ユーザは必ずしもリアルのカードを所有する必要は無く，ネット上に仮想のカードを所有して，マイルポイントと電子マネーバリューのやり取りを行うように構成することもできる。
【００６８】
【発明の効果】
以上説明したように，本発明にかかるマイルポイント／電子マネーバリュー交換システムによれば，従来から存在するマイレージシステム及び電子マネーシステムとの相互乗り入れを図ることができる。かかる相互乗り入れシステムは，ユーザにとってはもちろん享受できる特典の範囲を広げるものであり，サービス提供者にとっても，ユーザのサービス利用率を向上させることができる。
【図面の簡単な説明】
【図１】本発明の好適な実施形態にかかるマイルポイント／電子マネーバリュー変換システムの概略構成図である。
【図２】本発明の好適な実施形態にかかるマイルポイント／電子マネーバリュー変換システムで用いられるマイルポイント台帳の概略構成図である。
【図３】本発明の好適な実施形態にかかるマイルポイント／電子マネーバリュー変換システムで用いられるマイレージカードの概略構成図である。
【図４】本発明の好適な実施形態にかかるマイルポイント／電子マネーバリュー変換システムで用いられる電子マネーカードの概略構成図である。
【図５】本発明の好適な実施形態にかかるマイルポイント／電子マネーバリュー変換システムで用いられる電子マネーバリュー台帳の概略構成図である。
【図６】本発明の好適な実施形態にかかるマイルポイント／電子マネーバリュー変換システムで用いられるマイレージ番号／ウォレット番号変換テーブルの概略構成図である。
【図７】本発明の好適な実施形態にかかるマイルポイント／電子マネーバリュー変換システムのバッチ処理フロー示す説明図である。
【図８】本発明の好適な実施形態にかかるマイルポイント／電子マネーバリュー変換システムのリアルタイムフローを示す説明図である。
【図９】本発明の好適な実施形態にかかるマイルポイント／電子マネーバリュー変換システムの電子マネー利用によるマイル積算フローを示す説明図である。
【図１】
2004265087.tif 000003
【図２】
2004265087.tif 000004
【図３】
2004265087.tif 000005
【図４】
2004265087.tif 000006
【図５】
2004265087.tif 000007
【図６】
2004265087.tif 000008
【図７】
2004265087.tif 000009
【図８】
2004265087.tif 000010
【図９】
2004265087.tif 000011